(57)【要約】      （修正有）【課題】梁と柱または梁同士を十字状に接合できる組付け部材を提供する。【課題手段】組付け部材１０は、第一長尺部材に対して第二長尺部材と第三長尺部材が垂直方向を向くように固定するものであり、底板部１８および側板部２０を備える。側板部２０同士の間に空所２２が形成され、２つ１組で使用する。底板部の両長辺２４に側板部がつながり、底板部に対して側板部は垂直方向を向いている。２つの組付け部材は底板部が対向するようにして入り組ませ、空所２２に第一長尺部材が入る。第一長尺部材は２つの組付け部材を垂直方向に横切る。【選択図】図１
0003216293.tif 000002
【実用新案登録請求の範囲】
【請求項１】
第一長尺部材に対して第二長尺部材と第三長尺部材が垂直方向を向くように組付けるための組付け部材であって、
長方形の底板部と、
前記長方形の底板部の長辺に垂直方向を向いて繋がった複数の側板部と、
前記長方形の底板部の同じ長辺に設けられた側板部同士の間に形成された空所と、
を備え、
２つの前記組付け部材の底板部が対向し、かつ、前記空所に第一長尺部材が入り込むように２つの組付け部材が互いに入り組み、
前記２つの組付け部材の底板部および側板部によって形成された空間に第二長尺部材と第三長尺部材が入り込む
組付け部材。
【請求項２】
前記第一長尺部材、第二長尺部材および第三長尺部材を組付け部材に固定するための締結用ネジまたは締結用ボルトと、
前記締結用ネジが入るネジ穴または締結用ボルトが入る挿通穴と、
を備えた請求項１の組付け部材。
【考案の詳細な説明】
【技術分野】
【０００１】
本考案は、梁や柱のような長尺部材同士を十字状に接合するための組付け部材に関するものである。
【背景技術】
【０００２】
梁と柱、あるいは、梁同士を十字状に接合するための組付け部材が下記の特許文献１に開示されている。その組付け部材は、底板、その底板に垂直な第１側板、第２側板を備えている。第１側板から底板に空所が設けられており、空所に梁または柱がはめ込まれるようになっている。
【０００３】
しかし、２つの組付け部材を締結用ネジで梁または柱に固定していると、締結用ネジを締め終われず、組付け部材が変形する場合があった。そのため、梁と柱、あるいは、梁同士を十字状に接合することができない場合があった。
【先行技術文献】
【特許文献】
【０００４】
【特許文献１】特開２０１５−０７４８８４号
【考案の概要】
【考案が解決しようとする課題】
【０００５】
本考案は、梁と柱または梁同士を十字状に接合できる組付け部材を提供することを目的とする。
【課題を解決するための手段】
【０００６】
本考案の組付け部材は、第一長尺部材に対して第二長尺部材と第三長尺部材が垂直方向を向くように組付けるための組付け部材である。組付け部材は、長方形の底板部、底板部の両長辺に繋がった複数の側板部、複数の側板部の間に形成された空所を備える。２つの組付け部材の底板部が対向し、かつ、空所に第一長尺部材が入り込むように２つの組付け部材が互いに入り組む。２つの組付け部材の底板部および側板部によって形成された空間に第二長尺部材と第三長尺部材が入り込む。
【０００７】
第一長尺部材、第二長尺部材および第三長尺部材を組付け部材に固定するための締結用ネジまたは締結用ボルト、締結用ネジが入るネジ穴または締結用ボルトが入る挿通穴を備える。
【考案の効果】
【０００８】
本考案によると、組付け部材によって第一長尺部材に対して第二長尺部材と第三長尺部材が垂直方向を向くように固定される。２つの組付け部材の側板部が互いに入り組んでおり、各長尺部材を強固に固定することができる。また、底板部に空所が無いため、側板部を保持する底板部が大きく、側板部と底板部が変形しにくい。ボルトなどの締結部材で固定するときに締結部材の回転が停止できず、側板部と底板部の変形を防止できる。
【図面の簡単な説明】
【０００９】
【図１】本考案の組付け部材を示す斜視図であり、（ａ）は一の方向から見た斜視図であり、（ｂ）は（ａ）とは１８０°逆方向から見た斜視図である。
【図２】組付け部材の展開図である。
【図３】空所に第一長尺部材をはめ込んだ図である。
【図４】底板部と側板部で形成された空間に第二長尺部材と第三長尺部材をはめ込んだ図である。
【図５】第二長尺部材または第三長尺部材と側板部との隙間を示す図である。
【図６】２つ目の組付け部材を１つ目の組付け部材に入り組ませた図である。
【図７】組付け部材と各長尺部材とを締結部材で固定した図である。
【図８】複数の長尺部材を組付け部材で格子状に組み上げた図である。
【図９】太陽電池の架台に本願の組付け部材を適用した図である。
【図１０】空所をＵ字形状にした組付け部材を示す斜視図であり、（ａ）は一の方向から見た斜視図であり、（ｂ）は（ａ）とは１８０°逆方向から見た斜視図である。
【図１１】２種類の空所を有する組付け部材を示す斜視図であり、（ａ）は一の方向から見た斜視図であり、（ｂ）は（ａ）とは１８０°逆方向から見た斜視図である。
【図１２】長孔の貫通孔を備えた組付け部材を示す斜視図であり、（ａ）は一の方向から見た斜視図であり、（ｂ）は（ａ）とは１８０°逆方向から見た斜視図である。
【図１３】図１２の組付け部材を入り組ませた図であり、（ａ）は長尺部材の入る空間を最も小さくした図であり、（ｂ）は長尺部材の入る空間を最も大きくした図である。
【考案を実施するための形態】
【００１０】
本考案の組付け部材について図面を用いて説明する。
【００１１】
図１に示す本考案の組付け部材１０は、図７に示すように第一長尺部材１２に対して第二長尺部材１４と第三長尺部材１６が垂直方向を向くように固定するものである。各長尺部材１２、１４、１６は、角材、溝形鋼材、Ｈ型鋼材、角形鋼管、リップみぞ鋼管が挙げられる。または、各長尺部材１２、１４、１６は樹脂や木材で形成されたものであっても良い。各長尺部材１２、１４、１６は従来技術で説明した梁と柱に対応するものである。
【００１２】
組付け部材１０は、底板部１８および側板部２０を備える。側板部２０同士の間に空所２２が形成されている。組付け部材１０は２つ１組で使用する。打ち抜き加工などによって、組付け部材１０は底板部１８と側板部２０を１枚の金属板に形成し（図２）、底板部１８に対して側板部２０が垂直方向を向くように溝形に折り曲げることで容易に製造できる。または、組付け部材１０を樹脂成型によって形成しても良い。
【００１３】
底板部１８は長方形になっている。底板部１８の両長辺２４に側板部２０がつながっている。底板部１８に対して側板部２０は垂直方向を向いている。すべての側板部２０は底板部１８に対して同方向を向いており、底板部１８および側板部２０によって組付け部材１０の断面がコの字状になっている。
【００１４】
側板部２０の形状は長方形または正方形になっており、底板部１８を挟んで対向している。側板部２０は４枚あり、底板部１８の１つの長辺２４に２枚の側板部２０がつながっている。すべての側板部２０は同形状である。側板部２０の形状が同じため、２つの組付け部材１０を入り組ませるときに組付け部材１０の方向を間違えることがない。長尺部材１２、１４、１６を固定するときの施工に間違いが生じにくい。
【００１５】
底板部１８の同じ長辺２４に繋がった側板部２０同士の間は空所２２になっている。空所２２は底板部１８の長辺２４における中央に配置されている。空所２２は、空所２２は第一長尺部材１２が嵌まり込むようになっている。たとえば、第一長尺部材１２の断面が四角形であり、同じ形状の空所２２になっている。
【００１６】
図７に示すように、組付け部材１０に各長尺部材１２、１４、１６を固定するための部材は、締結用ネジ２６、締結用ボルト２８、ナットなどの締結部材である。たとえば、第一長尺部材１２は締結用ネジ２６で固定され、第二長尺部材１４と第三長尺部材１６は締結用ボルト２８とナットで固定される。組付け部材１０を第一長尺部材１２の所望位置に配置した後、組み付け部材１０の底板部１８と第一長尺部材１２を一緒にネジ穴を開け、締結用ネジ２６で固定する。また、組付け部材１０の側板部２０、第二長尺部材１４および第三長尺部材１６に締結用ボルト２８の軸が通過する挿通穴３０を設けておく。挿通穴３０の位置を合わせ、側板部２０、第二長尺部材１４、第三長尺部材１６を締結用ボルト２８とナットで固定する。
【００１７】
２つの組付け部材１０は底板部１８が対向するようにして入り組ませる。さらに、空所２２は第一長尺部材１２が入るようにする。第一長尺部材１２が２つの組付け部材１０を垂直方向に横切る。
【００１８】
本願の組付け部材１０を用いて、第一長尺部材１２に対して第二長尺部材１４と第三長尺部材１６を垂直に固定する方法を説明する。
【００１９】
（１）１つ目の組付け部材１０を準備し、１つ目の組付け部材１０の空所２２に第一長尺部材１２をはめ込む（図３）。底板部１８の内壁が第一長尺部材１２に接するようにする。第一長尺部材１２に対して組付け部材１０が垂直方向を向いている。
【００２０】
（２）組付け部材１０の底板部１８および側板部２０で形成された空間３２に第二長尺部材１４と第三長尺部材１６を入れる（図４）。底板部１８の内壁に第二長尺部材１４と第三長尺部材１６が接するようにする。また、図５に示すように、一の側板部２０に第二長尺部材１４と第三長尺部材１６が接するようにして、他の側板部２０と第二長尺部材１４および第三長尺部材１６に隙間３４が空くようにする。
【００２１】
（３）２つ目の組付け部材１０を準備し、２つ目の組付け部材１０の空所２２に第一長尺部材１２をはめ込む（図６）。この時、２つの組付け部材１０で各長尺部材１２、１４、１６を挟み込む。また、２つ目の組付け部材１０の側板部２０が上記隙間３４に入り込むようにする。２つの組付け部材１０の側板部２０同士は重ねられる。
【００２２】
（４）各組付け部材１０の位置を調整し、少なくとも１つの組付け部材１０を第一長尺部材１２に固定する。その固定方法は、組み付け部材１０の底板部１８と第一長尺部材１２に一緒にネジ穴を開け、ネジ穴に締結用ネジ２６を締結する（図７）。予めネジ穴を開けていず、第一長尺部材１２を固定する段階でネジ穴を開ける。現場の地形等に応じて適宜ネジ穴の位置を変更することができ、設計や組付けが容易である。
【００２３】
（５）組み合わされた２つの組付け部材１０と第二および第三長尺部材１４、１６を固定する。その固定方法は、２つの組付け部材１０の挿通穴３０と第二および第三長尺部材１４、１６の挿通穴の位置を合わせ、挿通穴に締結用ボルト２８を通し、ナットを締結する。
【００２４】
なお、上記（１）〜（５）の順番は一例であり、第一長尺部材１２に対して第二長尺部材１４と第三長尺部材１６が垂直方向を向くように固定されるのであれば、その固定方法を適宜変更しても良い。たとえば、第一長尺部材１２に２つの組付け部材１０を固定した後、底板部１８と側板部２０で形成された空間３２に第二長尺部材１４と第三長尺部材１６を挿入して固定しても良い。
【００２５】
以上の工程で第一長尺部材１２に対して第二長尺部材１４と第三長尺部材１６を垂直方向に固定できる。複数の組付け部材１０を使用することで、図８に示すように、複数の長尺部材４０を同一平面に固定することができる。組付け部材１０同士の間隔は任意である。長尺部材４０の上または長尺部材４０同士の間に太陽電池を設置したり、ネットを取り付けたりする。組付け部材１０と長尺部材１２、１４、１６で手すりを作ったり、立体的に足場などを形成したりして、種々の物を形成して利用することができる。
【００２６】
従来は一の側板部２０から底板部１８にかけて長い空所があったために一の側板部２０を支える底板部１８が弱く、変形しやすかった。本願は空所２２を２枚の側板部２０の間に分けて短く形成しており、底板部１８が大きく、各側板部２０を底板部１８で頑丈に支えることができ、各側板部２０が変形しにくい。
【００２７】
本考案は上記の実施形態に限定されない。図９に組み付け部材１０の使用例として、太陽電池パネルの架台４２を示す。接地面に平行に配置された第一縦桟（長尺部材）４４が設置面４６にアンカーパイプ４８で固定されている。第一縦桟４４に対して傾斜するように第二縦桟（長尺部材）５０が配置されている。縦桟４４、５０同士の間に支柱５２があり、各支柱５２の端部が縦桟４４、５０に固定されている。第二縦桟５０の間または第二縦桟５０の上に太陽電池パネルが取り付けられる。なお、各縦桟４４、５０に穴を開け、支柱５２が通過できるようにしても良いし、縦桟４４、５０の中に支柱５２の端が配置されるようにしても良い。
【００２８】
第一長尺部材１２と底板部１８にネジ穴を開けてねじ止めしたが、あらかじめ第一長尺部材１２と底板部１８に挿通穴を形成しておき、ボルトとナットで固定しても良い。組付け部材１０に対して各長尺部材１２、１４、１６をネジ２６やボルト２８などで固定したが、溶接などで固定しても良い。
【００２９】
空所２２の形状は、第一長尺部材１２の形状に合わせて適宜変更しても良い。２つの組付け部材１０で第一長尺部材１２を挟み込んだ時に、空所２２の中に第一長尺部材１２が嵌まり込めばよい。たとえば、図１０の組付け部材６０のように空所６２をＵ字形状にする。２つの組付け部材６０を入り組ませたとき、空所６２で円形の空間を形成することができる。断面が円形の第一長尺部材１２に使用することができる。
【００３０】
たとえば、図１１の組付け部材７０のように底板部１８に円形の空所７２を設ける。方形の空所２２または円形の空７２所に第一長尺部材１２を通過させる。２種類の形状に対応することができる。
【００３１】
また、図１２の組付け部材８０のように、底板部１８を挟んで対向する側板部２０において、いずれかの側板部２０の挿通穴８２を長孔にしても良い。図１３に示すように、挿通穴３０と挿通穴８２によって、側板部２０同士の相対的な位置をずらすことができる。長尺部材１２、１４、１６の形状に合わせて側板部２０の位置をずらすことができ、使用できる長尺部材１２、１４、１６の種類を増やすことができる。また、長孔の挿通穴８２の代わりに挿通穴３０を単純に大きくしても良い。
【００３２】
その他、本考案は、その主旨を逸脱しない範囲で当業者の知識に基づき種々の改良、修正、変更を加えた態様で実施できるものである。
【符号の説明】
【００３３】
１０、６０、７０、８０：組付け部材
１２、１４、１６、４０、４４、５０：長尺部材
１８：底板部
２０：側板部
２２、６２、７２：空所
２４：底板部の長辺
２６：締結用ネジ
２８：締結用ボルト
３０、８２：挿通穴
３２：底板部と側退部で形成された空間
３４：長尺部材と側板部の隙間
４２：架台
４６：設置面
４８：アンカーパイプ
５２：支柱
【図１】
0003216293.tif 000003
【図２】
0003216293.tif 000004
【図３】
0003216293.tif 000005
【図４】
0003216293.tif 000006
【図５】
0003216293.tif 000007
【図６】
0003216293.tif 000008
【図７】
0003216293.tif 000009
【図８】
0003216293.tif 000010
【図９】
0003216293.tif 000011
【図１０】
0003216293.tif 000012
【図１１】
0003216293.tif 000013
【図１２】
0003216293.tif 000014
【図１３】
0003216293.tif 000015